(57)【特許請求の範囲】
【請求項１】
室内機とこの室内機に接続された室外機とを備えた空気調和機であって、
前記室内機は、
当該室内機を制御する制御回路部と、
走査エリアを１ステップずつ走査し各ステップごとに熱画像取得素子群を用いて温度検出対象の熱画像データを取得し、取得した前記熱画像データを前記各ステップごとに前記制御回路部に送信する赤外線センサ部と、
前記赤外線センサ部を駆動するセンサ駆動モータと、
を備え、
前記制御回路部は、前記赤外線センサ部から送信された前記熱画像データの受信時に通信エラーが発生したか否かを前記各ステップごとに判定し、前記通信エラーが発生しなかった場合、又は前記通信エラーが発生したが、予め設定された通信リトライ回数を上限として前記赤外線センサ部に対して前記通信エラーの発生した熱画像データの再送信を指示した結果、前記熱画像取得素子群による熱画像データが取得できたときは、当該ステップの前記熱画像取得素子群による熱画像データをバッファし、前記通信エラーが発生しかつ前記通信リトライ回数以内に前記熱画像データを取得できなかったときは、当該ステップについては前記熱画像取得素子群による熱画像データの代わりに代替データをバッファし、すべてのステップを通して前記代替データをバッファした回数が所定の閾値回数未満である場合は、すべてのステップでバッファされた全データを用いて前記走査エリアの熱画像を一枚作成することを特徴とする空気調和機。
【請求項２】
前記室内機は、当該室内機が据え付けられた場所の温度情報を取得する温度センサ部を備え、
前記制御回路部は、前記温度センサ部から取得した前記温度情報を前記代替データとすることを特徴とする請求項１に記載の空気調和機。
【請求項３】
前記制御回路部は、前記通信エラーが発生したステップにおいて前記通信リトライ回数以内に前記熱画像データを取得できなかったときは、当該ステップの直前のステップでバッファされたデータを前記代替データとして当該ステップでバッファすることを特徴とする請求項１に記載の空気調和機。
【請求項４】
前記制御回路部は、前記通信エラーが発生したステップにおいて前記通信リトライ回数以内に前記熱画像データを取得できなかったときは、当該走査前に作成された前記熱画像において当該通信エラーが発生したステップと同じステップでバッファされたデータを取得してこれを前記代替データとして当該ステップでバッファすることを特徴とする請求項１に記載の空気調和機。
【請求項５】
前記制御回路部は、前記通信エラーが発生したステップにおいて前記通信リトライ回数以内に前記熱画像データを取得できなかったときは、前記代替データとしてエラー情報を当該ステップでバッファし、すべてのステップを通して前記代替データをバッファした回数が所定の閾値回数未満である場合において、前記代替データをバッファしたステップについてはその前後のステップでバッファしたデータを平均化したものをバッファした後に、前記熱画像を作成することを特徴とする請求項１に記載の空気調和機。
【請求項６】
前記制御回路部は、すべてのステップを通して前記代替データをバッファした回数が所定の閾値回数以上である場合は、すべてのステップでバッファされた全データを破棄し、  前記通信リトライ回数は、初期値としては通信仕様により決まる上限値に設定され、  
前記制御回路部は、所定の走査回数内における前記破棄の回数に応じて、前記通信リトライ回数を調整することを特徴とする請求項１〜５のいずれか１項に記載の空気調和機。
【請求項７】
前記制御回路部は、前記所定の走査回数内における前記破棄の回数がゼロの場合において、前記通信リトライ回数が１回に設定されているときは、その値を変更することなく維持し、前記通信リトライ回数が２回以上に設定されているときは、前記通信リトライ回数を１回減らして設定することを特徴とする請求項６に記載の空気調和機。
【請求項８】
前記制御回路部は、前記所定の走査回数内における前記破棄の回数が１以上の場合において、前記通信リトライ回数が通信仕様により決まる上限値に設定されているときはその値を変更することなく維持し、前記通信リトライ回数が前記上限値未満に設定されているときは前記通信リトライ回数を１回増やして設定することを特徴とする請求項７に記載の空気調和機。
【発明の詳細な説明】
【技術分野】
【０００１】
この発明は、空気調和機に関するものである。
【背景技術】
【０００２】
従来、空気調和機に搭載している人体検知センサを用いて、熱画像を取得して人体検知を行い、その情報を用いて空調制御を行っている（例えば、特許文献１参照）。  
【先行技術文献】
【特許文献】
【０００３】
【特許文献１】特開２０１０−２１６６８８号公報（第６―１２頁、第１０―１９図）
【発明の概要】
【発明が解決しようとする課題】
【０００４】
しかしながら、空気調和機の設置環境によっては、電源環境が悪く、人体検知センサ部と室内機制御回路間の通信ラインに外来ノイズ等が混入し、通信エラーが発生してしまう状況が発生するが、従来の空気調和機では、人体検知センサ部と室内機制御回路間の通信仕様には、かかる通信エラーが発生した場合の対策はされていなかった。
【０００５】
本発明は、上記に鑑みてなされたものであって、電源環境が悪い地域でもノイズフィルタを使用することなく人体検知を可能にして快適制御を行うことのできる空調調和機を提供することを目的とする。
【課題を解決するための手段】
【０００６】
上述した課題を解決し、目的を達成するために、本発明に係る空気調和機は、室内機とこの室内機に接続された室外機とを備えた空気調和機であって、前記室内機は、当該室内機を制御する制御回路部と、走査エリアを１ステップずつ走査し各ステップごとに熱画像取得素子群を用いて温度検出対象の熱画像データを取得し、取得した前記熱画像データを前記各ステップごとに前記制御回路部に送信する赤外線センサ部と、前記赤外線センサ部を駆動するセンサ駆動モータと、を備え、前記制御回路部は、前記赤外線センサ部から送信された前記熱画像データの受信時に通信エラーが発生したか否かを前記各ステップごとに判定し、前記通信エラーが発生しなかった場合、又は前記通信エラーが発生したが、予め設定された通信リトライ回数を上限として前記赤外線センサ部に対して前記通信エラーの発生した熱画像データの再送信を指示した結果、前記熱画像取得素子群による熱画像データが取得できたときは、当該ステップの前記熱画像取得素子群による熱画像データをバッファし、前記通信エラーが発生しかつ前記通信リトライ回数以内に前記熱画像データを取得できなかったときは、当該ステップについては前記熱画像取得素子群による熱画像データの代わりに代替データをバッファし、すべてのステップを通して前記代替データをバッファした回数が所定の閾値回数未満である場合は、すべてのステップでバッファされた全データを用いて前記走査エリアの熱画像を一枚作成することを特徴とする。
【発明の効果】
【０００７】
この発明によれば、電源環境が悪く、赤外線センサ部と制御回路部間の通信ラインに外来ノイズ等が混入することにより通信エラーが発生し、人体検知が困難となる環境においても、ノイズフィルタを使用することなく人体検知を可能にし、快適制御を実現するとともにコストを削減することができる。
【図面の簡単な説明】
【０００８】
【図１】図１は、実施の形態１に係る空気調和機の構成を示す図であり、主に室内機受電回路構成を示すブロック図である。
【図２】図２は、実施の形態１に係る空気調和機の別の構成を示す図であり、主に室内機受電回路構成を示すブロック図である。
【図３】図３は、人体検知センサ部１４が走査エリア内で取得する熱画像を示した図である。
【図４】図４は、人体検知センサ部１４の基本的な制御処理のフローチャートである。
【図５】図５は、実施の形態１における人体検知センサ部１４の制御処理のフローチャートである。
【図６】図６は、実施の形態４における人体検知センサ部１４の制御処理のフローチャートである。
【図７】図７は、実施の形態５における人体検知センサ部１４の制御処理のフローチャートである。
【発明を実施するための形態】
【０００９】
以下に、本発明に係る空気調和機の実施の形態を図面に基づいて詳細に説明する。なお、この実施の形態によりこの発明が限定されるものではない。
【００１０】
実施の形態１．
図１は、本実施の形態に係る空気調和機の構成を示す図であり、主に室内機受電回路構成を示すブロック図である。図１に示すように、空気調和機は室内機１と室外機２とを備え、室内機１と室外機２は、室内機端子台３と室外機端子台４とを接続する第一電源ライン５、第二電源ライン６、及び通信ライン７によって接続されている。ここで、第一電源ライン５には室内機１側からリレースイッチ８を経由して例えば商用電源である外部電源９が接続されている。なお、外部電源９は、図２のように室外機２側に接続されている構成でもよい。即ち、室内機１又は室外機２の一方の機器にて外部電源９から受電し、他方の機器に供給する構成とすることができる。以下では、図１の構成について説明し、図２では、図１と同一の構成要素には同一の符号を付してその詳細な説明を省略する。
【００１１】
図１において、室内機１は、外部電源９から電力を受け取る電源回路部１０、室内機１を制御する制御回路部１１、室外機２との双方向通信を行う通信回路部１２、室内機１が据え付けられた場所の温度情報を取得する温度センサ部１３、例えば１×ｘ素子（ｘ：自然数）の配列の熱画像取得素子群を有し、温度検出対象範囲を走査して温度検出対象の温度を検出することにより人体の位置等の発熱体を検知する赤外線センサ部としての人体検知センサ部１４、及び人体検知センサ部１４を例えば左右方向に駆動するセンサ駆動モータ１５を備える。なお、図示はしないが、室外機２は電源回路部、制御回路部、及び通信回路部等を備えている。
【００１２】
次に、本実施の形態の動作について説明する前に、人体検知センサ部１４の基本的な動作について説明する。図３は、人体検知センサ部１４が走査エリア内で取得する熱画像を示したものである。人体検知センサ部１４はセンサ駆動モータ１５によって左右方向に１ステップずつ駆動することができる。図示例では、熱画像取得素子群の配列方向は駆動方向（走査方向）と直交している。センサ駆動モータ１５は制御回路部１１により制御され、人体検知センサ部１４は、制御回路部１１が人体検知センサ部１４の素子数分（ｘ素子分）の熱画像データを取得した後、１ステップ駆動され、これを設定したステップ数まで繰り返す。ここではステップ数をｙステップ（ｙ：自然数）設定したとする。
【００１３】
図４は、人体検知センサ部１４の基本的な制御処理のフローチャートである。人体検知センサ部１４は、熱画像取得素子ごとの熱画像データを取得し、各素子の熱画像データを制御回路部１１へ送信する。人体検知センサ部１４と制御回路部１１との間は通信ラインで接続されている。Ｓ１では、人体検知センサ部１４は、ある１つの素子の熱画像データ（素子情報）を制御回路部１１へ送信する。
【００１４】
次に、制御回路部１１は、人体検知センサ部１４から送信された素子情報（熱画像データ）を取得すると、人体検知センサ部１４に配列されているｘ素子分の情報（熱画像データ）を取得したか否かを確認し（Ｓ２）、取得していなければ（Ｓ２，Ｎｏ）Ｓ１に移行し、次の素子が取得した熱画像データを取得する。ｘ素子分の情報（熱画像データ）を取得し終えていた場合（Ｓ２，Ｙｅｓ）は、制御回路部１１は、素子情報１列分をバッファする（Ｓ３）。ここで、１列分の素子情報とは図３のステップ列分の熱画像データである。また、制御回路部１１は、データを図示しないメモリに保存することでバッファする。
【００１５】
次に、制御回路部１１は、指定したステップ数（ｙステップ）の情報（熱画像データ）を取得したか否かを確認し（Ｓ４）、取得していなければ（Ｓ４，Ｎｏ）Ｓ５に移行し、センサ駆動モータ１５を制御して人体検知センサ部１４を１ステップ駆動した後、再びＳ１へ移行する。他方、制御回路部１１は、指定したステップ数の情報を取得していた場合は（Ｓ４，Ｙｅｓ）、これまでバッファした各ステップにおけるｘ素子分の熱画像データ（即ち、ｘ素子分の熱画像データをｙステップ分）を用いて所定の演算を行い、走査エリアの熱画像を一枚作成し取得する（Ｓ６）。
【００１６】
次に、本実施の形態の動作について説明する。図５は、本実施の形態における人体検知センサ部１４の制御処理のフローチャートである。図５に示すように、まず、図４の基本的な動作と同様に、人体検知センサ部１４は素子情報を制御回路部１１へ送信し（Ｓ１）、制御回路部１１はこの素子情報を受信できたか否か、即ち、人体検知センサ部１４と制御回路部１１間で通信エラーが発生したか否かを確認する（Ｓ７）。
【００１７】
通信エラーが発生していない場合は（Ｓ７，Ｎｏ）、Ｓ２に移行し、人体検知センサ部１４の基本的な動作へ戻る。即ち、制御回路部１１は、人体検知センサ部１４に配列されているｘ素子分の情報（熱画像データ）を取得したか否かを確認する（Ｓ２）。その結果、ｘ素子分の情報（熱画像データ）を取得していない場合は（Ｓ２，Ｎｏ）Ｓ１に移行する。また、取得し終えていた場合は（Ｓ２，Ｙｅｓ）、制御回路部１１は、素子情報１列分をバッファした後（Ｓ３）、Ｓ４に移行する。
【００１８】
通信エラーが発生していた場合は（Ｓ７，Ｙｅｓ）、制御回路部１１は、人体検知センサ部１４に対して当該素子についての熱画像データの再送信を指示し、通信エラーが発生した箇所の情報取得のリトライを行う（Ｓ８）。更に、制御回路部１１は、再送信を指示した熱画像データの通信について、通信エラーが発生したか否かを確認する（Ｓ９）。その結果、通信エラーが発生していない場合は（Ｓ９，Ｎｏ）Ｓ２に移行し、人体検知センサ部１４の基本的な動作へ戻る。
【００１９】
通信エラーが発生していた場合は（Ｓ９，Ｙｅｓ）、Ｓ１０に移行し、制御回路部１１は、リトライ回数が予め設定されたｎ回に達しているか否かを判定し、ｎ回に達していなければ（Ｓ１０，Ｎｏ）Ｓ８に移行し、再度通信リトライを行う。ここで、ｎは任意の自然数に設定することができる。このように、制御回路部１１は、リトライ回数をカウントしており、再送信の回数が予め設定されたｎ回に達したか否かを判定する。
【００２０】
他方、ｎ回に達していた場合は（Ｓ１０，Ｙｅｓ）、制御回路部１１は、通信エラーを検出した当該ステップについて、人体検知センサ部１４の検出したｘ素子分の熱画像データをバッファする代わりに、当該ステップ列に例えば温度センサ部１３が検出した温度情報をバッファした後（Ｓ１１）、Ｓ４へ移行する。即ち、制御回路部１１は、リトライ回数の上限であるｎ回まで通信リトライを行っても素子の熱画像データが取得できなかった場合は、そのステップについてのｘ素子分のデータを例えば温度センサ部１３から取得した温度情報等の代替データ又は補間データで置き換えて一時保存する。
【００２１】
次に、制御回路部１１は、予め設定したステップ数の情報（熱画像データ）を取得したか否かを確認し（Ｓ４）、取得していなければ（Ｓ４，Ｎｏ）Ｓ５に移行し、センサ駆動モータ１５を制御して人体検知センサ部１４を１ステップ駆動した後、再びＳ１へ移行する。他方、制御回路部１１は、設定したステップ数の情報を取得していた場合は（Ｓ４，Ｙｅｓ）、Ｓ１２へ移行し、温度センサ部１３の温度情報をｍ回以上バッファしたか否かを判定する。ここで、ｍは予め設定された閾値（自然数）であり、人体検知に影響を与えない回数として設定される。判定の結果、ｍ回未満であれば（Ｓ１２，Ｎｏ）、人体検知が可能であるので、これまで取得した熱画像データを用いて所定の演算を行うことにより走査エリアの熱画像データ１枚を作成して取得し（Ｓ６）、ｍ回以上行っていれば（Ｓ１２，Ｙｅｓ）、これまで取得した走査エリアの熱画像データを破棄する（Ｓ１３）。
【００２２】
以上のように、本実施の形態では、通信リトライを任意の回数設定することで人体検知センサ部１４と制御回路部１１との通信成功確率を上げることができる。また、通信リトライを行っても通信エラーとなる場合でも、エラーが発生したステップ列に温度センサ部１３によって取得した温度情報をバッファし、そのバッファ回数が閾値ｍ回以下であれば全ステップ列分の熱画像データを用いて人体検知可能な熱画像を作成することができる。従って、本実施の形態によれば、これまで電源環境が悪く、人体検知センサ部１４と制御回路部１１間の通信ラインに外来ノイズ等が混入することにより通信エラーが発生し、人体検知が困難であった状況においても、ノイズフィルタを使用することなく人体検知が可能となり、快適制御を実現するとともにコストを削減することができる。
【００２３】
実施の形態２．
実施の形態１では、図５の制御フローのＳ１１において、通信エラーが発生したステップ列に温度センサ部１３により得た温度情報をバッファしていたが、本実施の形態では、例えば当該ステップ列の直前のステップ列にバッファしたデータを当該ステップ列にバッファするものとする。その他の制御フローは実施の形態１と同様である。
【００２４】
以上のように、本実施の形態では、図５の制御フローのＳ１１において、通信エラーが発生したステップ列に例えばその直前のステップ列にバッファしたデータをバッファすることで、温度センサ１３の温度情報やノイズフィルタを使用することなく、外来ノイズ等により人体検知が困難な環境においても人体検知可能となる。なお、本実施の形態のその他の構成、動作及び効果は実施の形態１と同様である。
【００２５】
実施の形態３．
実施の形態２では、図５の制御フローのＳ１１において、通信エラーが発生したステップ列に例えばその直前のステップ列にバッファした熱画像データをバッファしたが、本実施の形態では、制御回路部１１は、前回取得した一枚の熱画像において当該通信エラーが発生したステップ列と同じステップ列にバッファされたデータを取得してこれを当該通信エラーが発生したステップ列にバッファするものとする。即ち、本実施の形態では、制御回路部１１は、過去の走査で得られたＳ６の熱画像を少なくとも次の熱画像が得られるまで保持しており、この前回取得した熱画像を当該通信エラーが発生したステップ列についてのバッファリングに利用する。その他の制御フローは実施の形態１と同様である。
【００２６】
以上により、本実施の形態によれば、外来ノイズ等により人体検知が困難な環境においても、温度センサ１３の温度情報やノイズフィルタを使用することなく、人体検知が可能となる。なお、本実施の形態のその他の構成、動作及び効果は実施の形態１と同様である。
【００２７】
実施の形態４．
実施の形態３では、図５の制御フローのＳ１１において、通信エラーが発生したステップ列に前回取得した熱画像において当該通信エラーが発生したステップ列と同じステップ列にバッファされた熱画像データをバッファしたが、本実施の形態では、制御回路部１１は、通信エラーが発生した前後のステップ列にバッファした熱画像データを平均し、これを当該通信エラーが発生したステップ列にバッファするものとする。
【００２８】
図６は、本実施の形態における人体検知センサ部１４の制御処理のフローチャートである。図６では、図５と同じ処理には同じ符号を付しているので、以下では、図５との相違についてのみ説明する。Ｓ１０にて、リトライ回数がｎ回に達しているか否かを判定した結果、ｎ回に達していた場合は（Ｓ１０，Ｙｅｓ）、Ｓ１４に移行する。Ｓ１４では、通信エラーが発生したステップ列にエラー情報をバッファする。ここで、エラー情報は通信エラーが発生したことを示すデータである。
【００２９】
続いて、Ｓ４に移行し、指定したステップ数の情報を取得していた場合は（Ｓ４，Ｙｅｓ）、Ｓ１５へ移行する。Ｓ１５では、エラー情報をｍ回以上バッファしたか否かを判定する。ここで閾値ｍは実施の形態１と同様である。その結果、ｍ回未満であれば（Ｓ１５，Ｎｏ）、Ｓ１６に移行し、制御回路部１１は、通信エラーをバッファしたステップ列にその前後のステップ列の熱画像データを平均化したものをバッファする。なお、通信エラーをバッファしたステップ列が連続した場合は、例えばこれらのステップ列の前後のステップ列の熱画像データを平均化したものをそれぞれバッファすることができる。他方、ｍ回以上行っていれば（Ｓ１５，Ｙｅｓ）、制御回路部１１は、これまで取得した走査エリアの熱画像データを破棄する（Ｓ１３）。その他の制御フローは図５と同様である。
【００３０】
以上により、本実施の形態によれば、外来ノイズ等により人体検知が困難な環境においても、温度情報やノイズフィルタを使用することなく、人体検知が可能となる。なお、本実施の形態のその他の構成、動作及び効果は実施の形態１と同様である。
【００３１】
実施の形態５．
実施の形態１〜４においては、通信リトライ回数は通信仕様によりその上限が決定されるが、通信仕様を考慮し通信リトライ回数を上限のｎ回に設定した後は、空気調和機が使用されている電源環境に応じてリトライ回数を制御回路部１１に判断させ調整するようにしてもよい。
【００３２】
人体検知センサ部１４はセンサ駆動モータ１５により右から左へ、また左から右へ駆動し走査を行っているが、右から左へ駆動することで走査エリア内の熱画像１枚を取得し、同様に左から右へ駆動することで走査エリア内の熱画像を１枚取得していることを利用し、本実施の形態では、制御回路部１１でセンサ駆動モータ１５が往復した回数（センサ駆動モータ往復回数又は単にセンサ往復回数という。）と、図５、図６のＳ１３の動作である走査エリア内の熱画像データ破棄回数をカウントし、例えば、人体検知センサ部１４が１０往復した時に熱画像データ破棄が行われたか否かを判断し、これを通信リトライ回数決定に利用する。
【００３３】
図７は、本実施の形態における人体検知センサ部１４の制御処理のフローチャートである。まず、Ｓ２０では、制御回路部１１は、センサ駆動モータ往復回数と熱画像データ破棄回数をカウントする。すなわち、制御回路部１１は、センサ駆動モータ往復回数と熱画像データ破棄回数をメモリ（図示せず）に記憶している。次に、Ｓ２１に移行し、制御回路部１１は、人体検知センサ部１４が例えば１０往復したか否かを確認する。１０往復していない場合は（Ｓ２１，Ｎｏ）、Ｓ２０に戻り、制御回路部１１はセンサ駆動モータ往復回数と熱画像データ破棄回数を更にカウントする。
【００３４】
１０往復している場合は（Ｓ２１，Ｙｅｓ）、Ｓ２２に移行し、制御回路部１１は、人体検知センサ部１４が１０往復する間に熱画像データ破棄が１回以上行われたか否かを判定する。熱画像データ破棄が行われていない場合は（Ｓ２２，Ｎｏ）、Ｓ２４に移行し、制御回路部１１は、現在設定されている通信リトライ回数が１回であるかを確認する。その結果、現在設定されている通信リトライ回数が１回であれば（Ｓ２４，Ｙｅｓ）、制御回路部１１は、通信リトライ回数を変更することなく１回のまま維持する（Ｓ２７）。他方、現在設定されている通信リトライ回数が２回以上であれば（Ｓ２４，Ｎｏ）、Ｓ２８に移行し、制御回路部１１は、現在設定されている通信リトライ回数を１回減らして設定する。
【００３５】
また、Ｓ２２で、熱画像破棄が１回以上行われた場合は（Ｓ２２，Ｙｅｓ）、Ｓ２３に移行し、制御回路部１１は、現在のリトライ回数が初めに設定した上限値のｎ回であるか否かを確認する。その結果、現在設定されている通信リトライ回数がｎ回であった場合は（Ｓ２３，Ｙｅｓ）、制御回路部１１は、通信リトライ回数を変更することなくｎ回のまま維持する（Ｓ２５）。他方、現在設定されている通信リトライ回数がｎ回未満の場合は（Ｓ２３，Ｎｏ）Ｓ２６に移行し、制御回路部１１は、現在設定されている通信リトライ回数を１回増やして設定する。Ｓ２５〜Ｓ２８のいずれかの動作を行った後は、Ｓ２９に移行し、制御回路部１１は、これまでカウントしてきた人体検知センサ部１４のセンサ往復回数、及び熱画像データ破棄回数をリセットし、Ｓ２０の動作へ戻る。
【００３６】
なお、本実施の形態では、センサ駆動モータ１５が１０往復する間の熱画像データ破棄回数を調べたが、センサ駆動モータ１５の往復回数は必要に応じて任意の回数に設定することができる。また、所定の往復回数内における熱画像データ破棄回数に限らず、一般に、所定の走査回数内における熱画像データ破棄回数を基準としてもよい。
【００３７】
以上のように、本実施の形態によれば、人体検知センサ部１４と制御回路部１１間の通信状態により通信リトライ回数を制御回路部１１が自ら判断し設定することにより、人体検知センサ部１４と制御回路部１１間の通信スピードが向上する。即ち、通信状態が良好で熱画像データの破棄が行われないような環境下においては、通信リトライの設定回数をより減らすように設定するので、通信リトライ回数が通信環境に応じて適正化され、人体検知センサ部１４と制御回路部１１間の通信スピードが向上する。なお、本実施の形態のその他の構成、動作及び効果は実施の形態１〜４と同様である。
【産業上の利用可能性】
【００３８】
本発明は、空気調和機として有用であり、電源環境が悪く、人体検知センサ部と制御回路部間の通信ラインに外来ノイズ等が混入し、通信エラーが発生し得る環境での運転にも適している。
【符号の説明】
【００３９】
１    室内機
２    室外機
３    室内機端子台
４    室外機端子台
５    第一電源ライン
６    第二電源ライン
７    通信ライン
８    リレースイッチ
９    外部電源
１０  電源回路部
１１  制御回路部
１２  通信回路部
１３  温度センサ部
１４  人体検知センサ部
１５  センサ駆動モータ
【図１】
0005501990.tif 000002
【図２】
0005501990.tif 000003
【図３】
0005501990.tif 000004
【図４】
0005501990.tif 000005
【図５】
0005501990.tif 000006
【図６】
0005501990.tif 000007
【図７】
0005501990.tif 000008